(57)【特許請求の範囲】
【請求項１】
レンズを嵌め込んだフロント部の両端部に蝶番を介してテンプルが連結される眼鏡フレームにおいて、
前記テンプルが、前記蝶番の蝶片と一体に形成される金属製の連結部を備え、
該連結部に、その断面積を他の部分よりも小さくした弾性域が形成され、
前記テンプルを開いたときに、前記連結部は、蝶片側が前記フロント部の裏面に沿って位置するとともに他端側が前記テンプルの表面に沿って固定され、前記フロント部の裏面に沿う方向から前記テンプルの表面に沿う方向に向かって湾曲して形成されていることを特徴とする眼鏡フレーム。
【請求項２】
前記弾性域の長さが、８ｍｍ以上であることを特徴とする請求項１に記載の眼鏡フレーム。
【請求項３】
前記テンプルが、前記連結部と、金属製のテンプル本体と、樹脂製のモダンとからなることを特徴とする請求項１又は２に記載の眼鏡フレーム。
【発明の詳細な説明】
【技術分野】
【０００１】
本発明は眼鏡フレームに関し、特に、そのテンプルに弾性域を設けることによりソフトな使用感を得ることができるとともに、新しいデザインを施すことができる眼鏡フレームに関する。
【背景技術】
【０００２】
一般的な眼鏡フレームは、レンズを嵌め込んだフロント部の両端部に蝶番を介してテンプルが連結されている。また、テンプルは蝶番の蝶片を備える金属製の本体部分と、樹脂製のモダンを備えるものが多く使用されている。さらに、使用者が眼鏡を装着したときのフィット感を高めるために、蝶番にバネ等の弾性体を組み込んだものが使用されている。
【０００３】
すなわち、バネ蝶番と呼ばれる連結構造であり、テンプルを開いたときに弾性体の弾力が働いて、使用者の頭部側面にフィットさせる構造が知られている。例えば、特許文献１にはコイルバネを用いる連結構造が記載されており、これを図８に示す。
【０００４】
この連結構造１８０は、フロント部１２０とテンプル１３０とを連結するものであり、テンプル１３０の連結部に設けられる移動枠体１９０内にコイルバネ１９１を備えるものである。テンプル１３０を開いた状態からさらに開くと、フロント部１２０の端部１２９と移動枠体１９０の端部１９９とが当接し、コイルバネ１９１が圧縮されて復元力が発生し、テンプル１３０は元の位置へ戻る方向へ付勢される。
【０００５】
しかしながら、この連結構造１８０は、テンプル１３０の連結部分が大きくなり、コイルバネ１９１及びバネを収納する移動枠体１９０等の部材が必要であり、複雑な構造となって製造及び修理が手間の掛るものとなっている。
【０００６】
そこで、特許文献２には、コイルバネの代わりに板バネを使用する連結構造が提案されており、これを図９に示す。ここで、図９（ａ）はテンプル２３０を開いた状態であり、図９（ｂ）はテンプル２３０を（ａ）の状態からさらに開いた状態を示している。
【０００７】
この連結構造２８０は、フロント部２２０の端部に板バネ２９１の一端がネジ止めされるとともに、板バネ２９１の他端に蝶番２５０の一方の蝶片２５１が固定されている。そして、テンプル２３０を開いた（ａ）の状態では、板バネ２９１に何らの力も作用していないが、テンプル２３０をさらに開いた（ｂ）の状態では、板バネ２９１に力が加わって変形し、（ａ）の状態に戻ろうとする復元力が発生する。
【０００８】
しかしながら、この連結構造２８０は、板バネ２９１がフロント部２２０の端部に１点で固定されているだけであるので、フロント部２２０に対して板バネ２９１がガタを生じ易い。このため、テンプル２３０がフロント部２２０に対してガタを生じ易いという問題点がある。
【先行技術文献】
【特許文献】
【０００９】
【特許文献１】特開２００１−２９０１０８号公報
【特許文献２】特開２００５−１６５１９３号公報
【発明の概要】
【発明が解決しようとする課題】
【００１０】
この発明が解決しようとする課題は、レンズを嵌め込んだフロント部の両端部に蝶番を介してテンプルが連結される眼鏡フレームであり、テンプルを開いたときに弾性体の弾力が働いて使用者の頭部側面にフィットする構造を提供することである。そして、従来のものと比較して、構造が簡単で製作費が低減され、テンプルがフロント部に対してガタを生じることのない眼鏡フレームを提供することである。
【課題を解決するための手段】
【００１１】
本発明の請求項１に係る眼鏡フレームは、レンズを嵌め込んだフロント部の両端部に蝶番を介してテンプルが連結される眼鏡フレームにおいて、前記テンプルが、前記蝶番の蝶片と一体に形成される金属製の連結部を備え、該連結部に、その断面積を他の部分よりも小さくした弾性域が形成され、前記テンプルを開いたときに、前記連結部は、蝶片側が前記フロント部の裏面に沿って位置するとともに他端側が前記テンプルの表面に沿って固定され、前記フロント部の裏面に沿う方向から前記テンプルの表面に沿う方向に向かって湾曲して形成されている手段を採用している。
【００１２】
また、本発明の請求項２に係る眼鏡フレームは、請求項１に記載の眼鏡フレームであって、前記弾性域の長さが、８ｍｍ以上である手段を採用している。さらに、本発明の請求項３に係る眼鏡フレームは、請求項１又は２に記載の眼鏡フレームであって、前記テンプルが、前記連結部と、金属製のテンプル本体と、樹脂製のモダンとからなる手段を採用している。
【発明の効果】
【００１３】
本発明の眼鏡フレームは、テンプルの連結部に弾性域を形成したことにより、テンプルを開いたときに弾力が働いて使用者の頭部側面にフィットさせることができる。この弾性域は、連結部の断面積を小さく形成したものであるから、従来のものと比較して、構造が簡単であり製作費を低減することができる。また、この弾性域は、蝶番の蝶片と一体に形成される連結部に形成され、連結部はテンプル本体と一体に形成されるので、フロント部に対してガタを生じることがない。
【図面の簡単な説明】
【００１４】
【図１】本発明の眼鏡フレームの一例を示す概略正面図である。
【図２】図１の眼鏡フレームの概略平面図である。
【図３】図１の眼鏡フレームの概略側面図である。
【図４】図１の眼鏡フレームの要部を拡大して示す概略斜視図である。
【図５】図１の眼鏡フレームの要部を拡大して示す概略平面図であり、テンプルを開いた状態を示す。
【図６】図１の眼鏡フレームにおいて、図５の状態からテンプルを少し閉じた状態を示す概略平面図である。
【図７】図１の眼鏡フレームにおいて、図５の状態からテンプルをさらに少し開いた状態を示す概略平面図である。
【図８】従来の連結構造の一例を示す概略図である。
【図９】従来の連結構造の他の一例を示す概略図である。
【発明を実施するための形態】
【００１５】
図１〜図３は、本発明の実施形態の一例である眼鏡フレーム１０を示している。図１は概略正面図、図２は概略平面図、図３は概略側面図である。眼鏡フレーム１０全体の型式は一般的なものであり、レンズを嵌め込んだフロント部２０の両端部２９に、蝶番５０を介してテンプル３０が接続されている。
【００１６】
蝶番５０は、フロント部２０側の蝶片５１と、テンプル３０側の蝶片５２を備える連結構造である。テンプル３０は、蝶番５０の蝶片５２と一体に形成される金属製の連結部３１と、金属製のテンプル本体３２及び樹脂製のモダン３３から構成されている。そして、連結部３１の少なくとも一部において、その断面積を他の部分よりも小さくすることにより撓み易くした弾性域が形成されている。
【００１７】
ここで、弾性域は、図３の拡大図の連結部３１に長さＬで示す範囲となるが、この範囲は必ずしも明確な境界を備える必要はなく、この範囲内に最も撓み易い部分を備えているという意味である。また、この拡大図で、弾性域の高さｈを他の部分の高さＨよりも小さくすることによりその断面積を小さくしているが、水平方向の幅を小さくすることも可能である。なお、連結部３１の材質は、一般的な眼鏡フレームの素材として使用されている金属類を使用することができるが、フロント部２０やテンプル本体３２と異なる金属を使用することも可能である。
【００１８】
図４は本発明の要部を拡大した斜視図であり、図５は本発明の要部を拡大した平面図を示している。これらの図に示すように、蝶番５０は、フロント部２０の端部２９の裏面側に設けられるとともに、連結部３１は、フロント部２０の端部２９の裏面側からテンプル本体３２の表面側に向かって湾曲して形成されることが好ましい。蝶番５０の近傍に弾性域が形成されること、蝶番５０がフロント部２０の裏面側に位置すること、及び連結部３１が湾曲した形状に形成されることにより、本発明の眼鏡フレーム１０は、以下に示すような特有の作用効果を備えることになる。
【００１９】
図５は眼鏡フレーム１０のテンプル３０を開いた状態を示し、図６は、図５の状態からテンプル３０を少し閉じた状態を示している。図５と図６の間の領域では、テンプル３０は、蝶番５０を中心に回動するようになっている。そして、蝶番５０の締り具合によっては多少の抵抗を生じるものの、原則的には復元力を発生することはない。図５の状態で、テンプル３０の開き具合は、連結部３１がフロント部２０の端部２９に当接するか、或いは蝶番５０の蝶片５１、５２の一部が互いに当接することにより、位置決めされている。
【００２０】
図７は、図５におけるテンプル３０を開いた状態からさらにテンプル３０を開いた状態を示している。図５と図７の間の領域では、テンプル３０は、蝶番５０を中心に回動するのではなく、弾性域が撓むことによって開くことができる。そして、撓み量に比例した復元力が発生して、図５の状態に戻ろうとする。これは、先に示した連結構造１８０、２８０における復元力と同様である。
【００２１】
そして、蝶番５０の近傍に形成された弾性域が撓むことにより、フロント部２０に対するテンプル３０の動きが、恰もテンプル３０が蝶番５０を中心に回動しているような感じとなる。すなわち、使用者には、バネ蝶番を使用した眼鏡フレームと同様の感触が与えられて、ソフトな使用感を得ることができる。
【００２２】
蝶番５０は、フロント部２０の裏面側に位置させることにより、外観的な制限を受けることなく自由な形状に形成することが可能であり、連結部３１の蝶片５２については、十分な強度を備える形状と大きさに形成することができる。また、連結部３１とテンプル本体３２との接続は、ロウ付けで簡単に行うことができるとともに、十分な強度を備える接続構造を採用することができる。したがって、蝶番５０及び連結部３１を堅牢に形成することができるので、フロント部２０に対してテンプル３０がガタを生じることがない。
【００２３】
また、連結部３１の湾曲した部分に弾性域を設けると、弾性域の長さＬをある程度自由に選択することができる。すなわち、弾性域の長さＬを長くすることが可能であり、その断面積をあまり小さくしなくても十分な弾性を得ることができる。長さＬは、８ｍｍ以上とすることが好ましく、１０ｍｍ前後とすることが特に好ましい。
【００２４】
弾性域の復元力を自由に選択できるので、弾性域の弾性と、その他の部分の剛性とを適宜組み合わせることにより、使用者の頭部側面にフィットする眼鏡フレーム１０を形成することができる。また、弾性域の断面積を調整することにより、開いた角度に対する復元力の大きさを調節することができる。さらに、連結部３１は、湾曲させることにより外見上は短く見せることができるので、デザインの幅も広げることができる。
【００２５】
以上のように、本発明の眼鏡フレーム１０は、テンプル３０を開いたときに弾性域の弾力が働いて使用者の頭部側面にフィットする構造であり、従来のバネ蝶番と同等の機能を備えるものである。そして、その構造は非常に簡単であり、制作費を低減できるとともに堅牢な構造とすることができる。また、外観上シンプルであるとともに、新しいデザインを施すこともできる。
【符号の説明】
【００２６】
１０    眼鏡フレーム
２０、１２０、２２０    フロント部
２９、１２９、１９９    端部
３０、１３０、２３０    テンプル
３１    連結部
３２    テンプル本体
３３    モダン
５０、２５０    蝶番
５１、５２、２５１、２５２    蝶片
１８０、２８０    連結構造
１９０    移動枠体
１９１    コイルバネ
２９１    板バネ
【図１】
0005474585.tif 000002
【図２】
0005474585.tif 000003
【図３】
0005474585.tif 000004
【図４】
0005474585.tif 000005
【図５】
0005474585.tif 000006
【図６】
0005474585.tif 000007
【図７】
0005474585.tif 000008
【図８】
0005474585.tif 000009
【図９】
0005474585.tif 000010